(57)【要約】  本出願は、ほぼすべての境界のほぼすべての角部が略アール形状である、複数のタッチ電極を有するタッチ基板を開示する。タッチ基板を製造するためのマスク板及び基板の製造方法も提供する。
2019525268.tif 000002
【特許請求の範囲】
【請求項１】
複数のタッチ電極を含み、
前記複数のタッチ電極のほぼすべての境界のほぼすべての角部は略アール形状である、タッチ基板。
【請求項２】
前記複数のタッチ電極のほぼすべての境界は連続的に滑らかに曲がる、請求項１に記載のタッチ基板。
【請求項３】
タッチ電極の境界は、基本的に、アール角部により隣接して接続される複数の連続する滑らかな曲線からなる、請求項２に記載のタッチ基板。
【請求項４】
タッチ電極の境界は、基本的に、単一の連続する滑らかな曲線からなる、請求項２に記載のタッチ基板。
【請求項５】
タッチ電極の境界は直線部分を含む、請求項１に記載のタッチ基板。
【請求項６】
複数の塗りつぶしパターンをさらに含み、前記複数の塗りつぶしパターンのほぼすべての境界のほぼすべての角部は略アール形状である、請求項１に記載のタッチ基板。
【請求項７】
前記複数の塗りつぶしパターンのほぼすべての境界は連続的に滑らかに曲がる、請求項６に記載のタッチ基板。
【請求項８】
塗りつぶしパターンの境界は、基本的に、アール角部により隣接して接続される複数の連続する滑らかな曲線からなる、請求項７に記載のタッチ基板。
【請求項９】
塗りつぶしパターンの境界は、基本的に、単一の連続する滑らかな曲線からなる、請求項７に記載のタッチ基板。
【請求項１０】
前記複数の塗りつぶしパターンの少なくともひとつは、少なくとも２つのサブパターンを含むモザイクパターンであり、前記少なくとも２つのサブパターンのほぼすべての境界のほぼすべての角部は略アール形状である、請求項６に記載のタッチ基板。
【請求項１１】
前記複数の塗りつぶしパターンは、隣接するタッチ電極の対応部分と略相補的な境界を有する、請求項６に記載のタッチ基板。
【請求項１２】
塗りつぶしパターンの境界は直線部分を含む、請求項６に記載のタッチ基板。
【請求項１３】
前記複数のタッチ電極は、複数の行の第１タッチ電極及び複数の列の第２タッチ電極を含み、
２つの隣接する行の第１タッチ電極は、絶縁交点で列方向に沿って互いに絶縁され、
２つの隣接する列の第２タッチ電極は、前記絶縁交点で行方向に沿って互いに絶縁され、
前記絶縁交点における２つの隣接する行の前記第１タッチ電極及び２つの隣接する列の前記第２タッチ電極の任意の突起はアール形状である、請求項１に記載のタッチ基板。
【請求項１４】
前記複数のタッチ電極は、複数の行の第１タッチ電極及び複数の列の第２タッチ電極を含み、
各第１タッチ電極は、隣接する第２タッチ電極の対応部分と略相補的な境界を有する、請求項１に記載のタッチ基板。
【請求項１５】
各第１タッチ電極の境界は略円形を有する、請求項１４に記載のタッチ基板。
【請求項１６】
複数の塗りつぶしパターンをさらに含み、各第１タッチ電極及び隣接する塗りつぶしパターンは略円形を有する境界を形成する、請求項１４に記載のタッチ基板。
【請求項１７】
請求項１〜１６のいずれか一項に記載のタッチ基板を製造するためのマスク板。
【請求項１８】
基板上に複数のタッチ電極を形成する工程を含み、
前記複数のタッチ電極のほぼすべての境界のほぼすべての角部は略アール形状に形成される、タッチ基板の製造方法。
【請求項１９】
前記複数のタッチ電極のほぼすべての境界は連続的に滑らかに曲がるように形成される、請求項１８に記載の方法。
【発明の詳細な説明】
【技術分野】
【０００１】
本発明は、表示技術に関し、特に、タッチ基板、タッチ基板を製造するためのマスク板及びタッチ基板の製造方法に関する。
【背景技術】
【０００２】
タッチ制御表示パネルは、表示分野で広く応用が可能となっている。従来のタッチ制御表示パネルは、列に配置され、複数の第１導電チャネルを形成する複数の第１タッチ電極と、行に配置され、複数の第２導電チャネルを形成する複数の第２タッチ電極と、を含む。列に沿って配置される２つの隣接する第１タッチ電極は、第１ブリッジを介して接続される。行に沿って配置される２つの隣接する第２タッチ電極は、第２ブリッジを介して接続される。指がタッチ制御表示パネルのあるポイントに触ると、指により形成されたキャパシタはタッチパネルキャパシタにスーパーインポーズし、その結果、タッチパネルキャパシタの容量に変化が生じる。相互容量型タッチ表示パネルにおいて、第１電極は検出電極であり、第２電極は駆動電極であってもよい。タッチイベントを検出する際、相互容量型タッチ表示パネルは、第１電極アレイ及び第２電極アレイを順に検査する。タッチイベントにおける容量変化を基に、接触された第１電極と第２電極の座標が確定される。タッチ解像度は、隣接する導電チャネル間の距離に関係する。隣接する導電チャネル間の距離が近いほど、タッチ解像度は高くなる。
【発明の概要】
【課題を解決するための手段】
【０００３】
ひとつの方面において、本発明は、複数のタッチ電極を含み、前記複数のタッチ電極のほぼすべての境界のほぼすべての角部は略アール形状である、タッチ基板を提供する。
【０００４】
前記複数のタッチ電極のほぼすべての境界は連続的に滑らかに曲がってもよい。
【０００５】
タッチ電極の境界は、基本的に、アール角部により隣接して接続される複数の連続する滑らかな曲線からなってもよい。
【０００６】
タッチ電極の境界は、基本的に、単一の連続する滑らかな曲線からなってもよい。
【０００７】
タッチ電極の境界は直線部分を含んでもよい。
【０００８】
タッチ基板は、複数の塗りつぶしパターンをさらに含み、前記複数の塗りつぶしパターンのほぼすべての境界のほぼすべての角部は略アール形状であってもよい。
【０００９】
前記複数の塗りつぶしパターンのほぼすべての境界は連続する滑らかな曲線を描いてもよい。
【００１０】
塗りつぶしパターンの境界は、基本的に、アール角部により隣接して接続される複数の連続する滑らかな曲線からなってもよい。
【００１１】
塗りつぶしパターンの境界は、基本的に、単一の連続する滑らかな曲線からなってもよい。
【００１２】
前記複数の塗りつぶしパターンの少なくともひとつは、少なくとも２つのサブパターンを含むモザイクパターンであり、前記少なくとも２つのサブパターンのほぼすべての境界のほぼすべての角部は略アール形状であってもよい。
【００１３】
前記複数の塗りつぶしパターンは、隣接するタッチ電極の対応部分と略相補的な境界を有してもよい。
【００１４】
塗りつぶしパターンの境界は直線部分を含んでもよい。
【００１５】
前記複数のタッチ電極は、複数の行の第１タッチ電極及び複数の列の第２タッチ電極を含み、２つの隣接する行の第１タッチ電極は、絶縁交点で列方向に沿って互いに絶縁され、２つの隣接する列の第２タッチ電極は、前記絶縁交点で行方向に沿って互いに絶縁され、前記絶縁交点における２つの隣接する行の前記第１タッチ電極及び２つの隣接する列の前記第２タッチ電極の任意の突起はアール形状であってもよい。
【００１６】
前記複数のタッチ電極は、複数の行の第１タッチ電極及び複数の列の第２タッチ電極を含み、各第１タッチ電極は、隣接する第２タッチ電極の対応部分と略相補的な境界を有してもよい。
【００１７】
各第１タッチ電極の境界は略円形を有してもよい。
【００１８】
前記タッチ基板は、複数の塗りつぶしパターンをさらに含み、各第１タッチ電極及び隣接する塗りつぶしパターンは略円形を有する境界を形成してもよい。
【００１９】
別の方面において、本発明は、基板上に複数のタッチ電極を形成する工程を含み、前記複数のタッチ電極のほぼすべての境界のほぼすべての角部は略アール形状に形成される、タッチ基板の製造方法を提供する。
【００２０】
前記複数のタッチ電極のほぼすべての境界は連続的に滑らかに曲がるように形成されてもよい。
【００２１】
別の方面において、本開示は、本開示で述べる、又は本開示で述べる方法により製造されるタッチ基板を製造するためのマスク板を提供する。
【図面の簡単な説明】
【００２２】
以下の図面は開示された様々な実施形態の例にすぎず、本発明の範囲を限定するものではない。
【００２３】
【図１Ａ】従来のタッチ電極パターンを示す模式図である。
【図１Ｂ】従来のタッチ電極パターンを示す模式図である。
【図１Ｃ】従来のタッチ電極パターンを示す模式図である。
【図２Ａ】いくつかの実施形態におけるタッチ電極パターンを示す模式図である。
【図２Ｂ】いくつかの実施形態におけるタッチ電極パターンを示す模式図である。
【図２Ｃ】いくつかの実施形態におけるタッチ電極パターンを示す模式図である。
【図２Ｄ】いくつかの実施形態におけるタッチ電極パターンを示す模式図である。
【図３Ａ】いくつかの実施形態における塗りつぶしパターンを示す模式図である。
【図３Ｂ】いくつかの実施形態における塗りつぶしパターンを示す模式図である。
【図４Ａ】いくつかの実施形態におけるタッチ電極パターンを示す模式図である。
【図４Ｂ】いくつかの実施形態におけるタッチ電極パターンを示す模式図である。
【図４Ｃ】いくつかの実施形態におけるタッチ電極パターンを示す模式図である。
【図４Ｄ】いくつかの実施形態におけるタッチ電極パターンを示す模式図である。
【図５】いくつかの実施形態におけるマスク板の構造を示す模式図である。
【発明を実施するための形態】
【００２４】
以下では、実施形態を参照しつつ、本開示についてより具体的に説明する。なお、いくつかの実施形態に関する以下の説明は例示及び説明としてのものに過ぎず、全てを網羅している訳ではなく、また、開示されるそのままの形態に本発明を限定するものでもない。
【００２５】
図１Ａ〜１Ｃは、従来のタッチ電極パターンを示す模式図である。図１Ａ〜１Ｃを参照すると、従来のタッチ電極は、鋭角部により互いに接続される直線からなるパターンを有する。これらの鋭角部の周囲は静電荷が蓄積する傾向があるため、タッチパネルでの静電破壊につながる。例えば、鋭角部周辺の静電荷の蓄積は、鋭角部周辺の容量と抵抗の積（ＡＤＣ）は高い相対値を示す場合がある。ＡＤＣが過度に高いと、タッチパネルの充電時間が増大し、タッチパネルのレポートレートが低下し、タッチＩＣのＦ／Ｗの調整が一層困難となり、これらすべてがタッチスクリーンの性能に負の影響を及ぼす。静電破壊は、タッチ電極間、例えば、検出電極と駆動電極との間に短絡を引き起こし、タッチ表示パネルを機能不全にする場合がある。その上、直線を有するパターンを持つタッチ電極は、例えば、ＯＧＳタッチ表示パネル等のアドオン型タッチ表示パネル内における深刻なむら欠陥及び乏しいブランキング効果と関連する場合がある。
【００２６】
そこで、本開示は、従来技術における制限及び欠点に起因する一つ以上の課題を実質的に解消する、新規なタッチ基板、タッチ基板を製造するためのマスク板及びタッチ基板の製造方法を提供する。ひとつの方面において、本開示はタッチ基板を提供する。いくつかの実施形態において、タッチ基板は、アール角部を有する複数のタッチ電極を含み、例えば、複数のタッチ電極のほぼすべての境界のほぼすべての角部が略アール形状である。いくつかの実施形態において、タッチ基板は、連続的に滑らかに曲がる境界を有する複数のタッチ電極を含み、例えば、複数のタッチ電極のほぼすべての境界が連続的に滑らかに曲がる。いくつかの実施形態において、タッチ基板は、アール角部及び連続的に滑らかに曲がる境界を有する複数のタッチ電極を含み、例えば、複数のタッチ電極のほぼすべての境界のほぼすべての角部が略アール形状であり、複数のタッチ電極のほぼすべての境界が連続的に滑らかに曲がる。
【００２７】
本明細書において、電極境界に関連して「アール」とは、略円状に平滑化された境界の角部を指し、例えば、角部は第１方向から第２方向へ穏やかかつ徐々に変化する。略円状は、鋭角部がない限り、例えば、略真円（例えば、半円、四分円）、略弧状、略放物状又はこれらを任意に組み合わせたものであってもよい。角部は、凸角部であってもよい。角部は、凹角部であってもよい。角部は、プロトルージョン角部であってもよい。角部は、リセス角部であってもよい。アール角部は、アール突起部であってもよい。アール角部は、アール凹部であってもよい。
【００２８】
本明細書において、電極境界に関連して「連続的に滑らかに曲がる」とは、直線部分がほぼない境界を指す。境界は、単一の連続する滑らかな曲線からなるか、又は１つ以上のアール角部、例えば、アール突起部、アール凹部、或いはそれらの組み合わせにより接続される、複数の連続する滑らかな曲線を含む場合がある。境界は、基本的に、アール角部により隣接して接続される複数の連続する滑らかな曲線からなってもよい。境界は、例えば、円形状（例えば、半円、四分円）、正弦曲線状、楕円形状、放物線状、弧状、又はこれらの任意の組み合わせであってもよい。
【００２９】
ひとつの方面において、本開示は、アール角部を有する複数のタッチ電極を提供する。図２Ａ〜２Ｄはいくつかの実施形態におけるタッチ電極パターンを示す模式図である。図２Ａを参照すると、この実施形態におけるタッチ基板は、複数の行の第１タッチ電極１を有する第１タッチ電極層と、複数の列の第２タッチ電極２を有する第２タッチ電極層と、を含む。複数の行の第１タッチ電極１と複数の列の第２タッチ電極２は互いに交差して複数の交点ＩＳを形成する。隣接する第１タッチ電極１は、複数の第１ブリッジ４を介して各交点ＩＳで電気的に接続され、隣接する第２タッチ電極２は、複数の第２ブリッジ５を介して各交点ＩＳで電気的に接続される。第１ブリッジ４と第２ブリッジ５とは絶縁層６により電気的に絶縁される。例えば、第１タッチ電極１はタッチスキャニング電極（Ｔｘ）であり、第２タッチ電極２はタッチ検出電極（Ｒｘ）であってもよい。各行の第１透明タッチ電極１はタッチ走査ラインに接続され、各列の第２透明タッチ電極２はタッチ検出ラインに接続されてもよい。交点ＩＳに近接する、行の第１タッチ電極１と列の第２タッチ電極２との間に相互容量が生じる。指又は物体が交点ＩＳの付近に接触すると、行と列との間の相互容量の一部が指又は物体と関連付けられて、交点における容量が減少する。タッチ位置は、相互容量の変化を基に検出することができる。
【００３０】
図２Ａを参照すると、２つの隣接する行の第１タッチ電極１は、列方向に沿って絶縁交点Ｂで互いに絶縁され、２つの隣接する列の第２タッチ電極２は、行方向に沿って絶縁交点Ｂで互いに絶縁される。
【００３１】
図２Ａを参照すると、この実施形態におけるタッチ基板は、複数の塗りつぶしパターン３（例えば、複数のダミー電極）を有する塗りつぶしパターン層をさらに含む。複数の塗りつぶしパターン３は、隣接するタッチ電極の対応部分と略相補的な境界を有する。例えば、複数の塗りつぶしパターン３は、隣接する第１タッチ電極１及び第２タッチ電極２の対応部分と略相補的な境界を有する。第１タッチ電極１と第２タッチ電極２と塗りつぶしパターン３とは、互いに電気的に分離される。
【００３２】
いくつかの実施形態において、タッチ基板は、アール角部を有する複数のタッチ電極を含み、例えば、全タッチ電極のほぼすべての境界のほぼすべての角部が略アール形状である。図２Ｂは、図２Ａの領域「Ａ」に対応するタッチ基板の構造を示す模式図である。図２Ａ及び図２Ｂに示すように、第１タッチ電極１の角部は略アール形状である。角部は、アール凸角部Ｐ１（例えば、アール突起部Ｐ１）又はアール凹角部Ｒ１（例えば、アール凹部Ｒ１）であってもよい。図２Ａに示すように、第１タッチ電極１は、その境界の角部がすべてアール形状であるため、境界に鋭角部がない。
【００３３】
図２Ｃは、いくつかのタッチ基板における図２Ａの領域「Ｂ」に対応するタッチ基板の構造を示す模式図である。領域「Ｂ」は、２つの隣接する行の第１タッチ電極１が絶縁交点Ｂで列方向に沿って互いに絶縁され、２つの隣接する列の第２タッチ電極２が絶縁交点Ｂで行方向に沿って互いに絶縁される、絶縁交点に対応する。図２Ａ及び図２Ｃに示すように、絶縁交点Ｂにおける２つの隣接する行の第１タッチ電極１と、２つの隣接する列の第２タッチ電極２の任意の突起は、アール形状である。角部は、アール凸角部又はアール凹角部であってもよい。例えば、図２Ｃにおいて、第２タッチ電極２の２つの凸角部Ｐ３及びＰ４は略アール形状である。２つのアール凸角部Ｐ３及びＰ４は、略半円形状を有する。図２Ａに示すように、第２タッチ電極２は、その境界の角部がすべてアール形状であるため、境界に鋭角部がない。
【００３４】
図２Ｄは、いくつかのタッチ基板における図２Ａの領域「Ｂ」に対応するタッチ基板の構造を示す模式図である。図２Ｄにおいて、第２タッチ電極２の４つの凸角部Ｃ１、Ｃ２、Ｃ３及びＣ４は略アール形状である。アール凸角部Ｃ１、Ｃ２、Ｃ３及びＣ４は、略四分円形状を有する。
【００３５】
いくつかの実施形態において、複数の塗りつぶしパターンのほぼすべての境界のほぼすべての角部は略アール形状である。図２Ａ及び図２Ｂを参照すると、タッチ基板の塗りつぶしパターン３は、２つのアール角部Ｐ２及びＰ２’を有する。２つの凸角部Ｐ２及びＰ２’は、略半円形状を有する。図２Ａに示すように、塗りつぶしパターン３は、その境界の角部がすべて略アール形状であるため、境界に鋭角部がない。
【００３６】
図３Ａ〜３Ｂは、いくつかの実施形態における塗りつぶしパターンを示す模式図である。図３Ａに示すように、塗りつぶしパターン３は、図２Ａにおける領域Ａ内の塗りつぶしパターンに対応する塗りつぶしパターンである。図２Ａ及び図３Ａに示すように、塗りつぶしパターン３は、第１電極１と第２電極２との間に設けられる。この実施形態における塗りつぶしパターン３は、境界におけるすべての角部がアール形状である一体化された塗りつぶしパターンである。
【００３７】
いくつかの実施形態において、塗りつぶしパターンは、より優れたブランキング効果を実現できるように、少なくとも２つのサブパターンを含むモザイクパターンであってもよい。図３Ｂを参照すると、これらの実施形態における塗りつぶしパターンは、互いに絶縁され、隣接する第１タッチ電極と第２タッチ電極から絶縁される、６つのサブパターン３’を含む。サブパターン３’のいずれも境界における角部がすべてアール形状である。
【００３８】
別の方面において、本開示は、連続的に滑らかに曲がる境界を有する複数のタッチ電極を提供し、例えば、複数のタッチ電極のほぼすべての境界が連続的に滑らかに曲がる。様々な適切な境界形状を用いてタッチ電極を作製することができる。適切な形状の例には、円形状（半円、四分円等を含む）、正弦曲線状、楕円形状、放物線状、弧状、又はこれらの任意の組み合わせを含むがこれらに限らない。例えば、タッチ電極は、略円形の境界（例えば、図２Ａにおける第１タッチ電極１の境界）を有してもよい。タッチ電極は、略弧状の境界を有してもよい（例えば、図２Ａにおける第２タッチ電極２の境界は４つの弧を有する）。図４Ａ〜４Ｃは、いくつかの実施形態におけるタッチ電極パターンを示す模式図である。図４Ａを参照すると、タッチ電極は、（凸角部及び凹角部を含む）すべての角部をアール形状にした略四つ葉形を有してもよい。図４Ｂを参照すると、タッチ電極は、（凸角部及び凹角部を含む）すべての角部をアール形状にした略三つ葉形を有してもよい。図４Ｃを参照すると、タッチ電極は、略正方形で、すべての角部がアール形状であり、すべての側部が滑らかに曲がる弧である境界を有してもよい。
【００３９】
いくつかの実施形態において、タッチ電極の境界は、基本的に、単一の連続する滑らかな曲線からなる。単一の連続する滑らかな曲線を有する境界の例には、略円形の境界、略楕円形の境界及び略小判形の境界が含まれるが、これらに限らない。
【００４０】
いくつかの実施形態において、タッチ電極及び隣接する塗りつぶしパターンは、塗りつぶしパターンがタッチ電極から絶縁される部分を除き、基本的に、単一の連続する滑らかな曲線からなる境界を形成する。単一の連続する滑らかな曲線を有する境界の例には、略円形の境界、略楕円形の境界及び略小判形の境界が含まれるが、これらに限らない。例えば、図２Ａにおける第１タッチ電極１及び４つの隣接する塗りつぶしパターン３は、塗りつぶしパターン３と第１タッチ電極１との間の間隙を除き、略円形の境界を形成する。  
【００４１】
いくつかの実施形態において、タッチ電極の境界は、基本的に、アール角部（例えば、複数のアール角部）により隣接して接続される複数の連続する滑らかな曲線からなる。図４Ａを参照すると、この実施形態におけるタッチ電極は、基本的に、４つのアール凹角部により隣接して接続される４つの半円からなる境界を有する。図４Ｂを参照すると、この実施形態におけるタッチ電極は、基本的に、３つのアール凹角部により隣接して接続される３つの半円からなる境界を有する。図４Ｃを参照すると、この実施形態におけるタッチ電極は、基本的に、４つのアール凸角部により隣接して接続される４つの弧曲線からなる境界を有する。図２Ａ〜２Ｃを参照すると、第１タッチ電極１の境界は、基本的に、８対のアール凸角部Ｐ１及びアール凹角部Ｒ１により隣接して接続される８つの弧曲線からなる。第２タッチ電極２の境界は、基本的に、アール凸角部Ｐ３及びアール凸角部Ｐ４により隣接して接続される４つの弧曲線からなる。
【００４２】
いくつかの実施形態において、複数のタッチ電極のほぼすべての境界のほぼすべての角部を略アール形状にし、タッチ電極の境界はオプションで直線部分を含んでもよい。図４Ｄは、いくつかの実施形態におけるタッチ電極パターンを示す模式図である。図４Ｄを参照すると、この実施形態におけるタッチ電極の境界は、基本的に、４つのアール角部（例えば、図４Ｄに示す４つの半円）により接続される４つの直接部分からなる。直線部分は、アール角部を介して境界の他の部分に接続されてもよい。
【００４３】
いくつかの実施形態において、直線部分は、アール角部なしに隣接部分へ滑らかに移る。例えば、接点における隣接する半円又は四分円の接線が直線部分と実質的に重なる限り、直線部分は、アール角部なしに、隣接する半円又は四分円と滑らかに接続されてもよい。図２Ｄを参照すると、領域「Ｂ」における第２タッチ電極２は、第１アール凸角部Ｃ１に接続される第１弧曲線と、第２アール凸角部Ｃ３に接続される第２弧曲線と、第１アール凸角部Ｃ１と第２アール凸角部Ｃ３とを接続する短い直線部分と、を含む境界を有する。第１アール凸角部Ｃ１と第２アール凸角部Ｃ３との間の直線部分は、隣接する第１アール凸角部Ｃ１と第２アール凸角部Ｃ３に滑らかに移る一方で、第１アール凸角部Ｃ１と第２アール凸角部Ｃ３の接線は、それらの接点でそれぞれ直線部分と重なる。
【００４４】
いくつかの実施形態において、塗りつぶしパターン又はサブパターンは連続的に滑らかに曲がる境界を有し、例えば、それらの複数の塗りつぶしパターン又はサブパターンの境界はほぼすべて連続的に滑らかに曲がる。様々な適切な境界形状を用いてタッチ電極を作製することができる。適切な形状の例には、円形状（半円、四分円等を含む）、正弦曲線状、楕円形状、放物線状、弧状、又はこれらの任意の組み合わせを含むが、これらに限らない。例えば、図２Ｂにおける塗りつぶしパターンの境界は、基本的に、２つのアール凸角部Ｐ２及びＰ２’により接続される２つの弧曲線により構成される。同様に、図３Ｂにおける各サブパターン３’の境界は、基本的に、２つのアール凸角部により接続される２つの弧曲線からなる。
【００４５】
いくつかの実施形態において、塗りつぶしパターン又はサブパターンの境界は、基本的に単一の連続する滑らかな曲線からなる。単一の連続する滑らかな曲線を有する境界の例には、略円形の境界、略楕円形の境界及び略小判形の境界が含まれるが、これらに限らない。
【００４６】
いくつかの実施形態において、塗りつぶしパターン又はサブパターンの境界は、基本的に、アール角部（例えば、複数のアール角部）により隣接して接続される複数の連続する滑らかな曲線からなる。図２Ｂを参照すると、この実施形態における塗りつぶしパターンの境界は、基本的に、２つのアール凸角部Ｐ２及びＰ２’により隣接して接続される２つの連続する滑らかな弧曲線からなる。図３Ｂを参照すると、この実施形態における各サブパターンの境界は、基本的に、２つのアール凸角部により隣接して接続される２つの連続する滑らかな弧曲線からなる。
【００４７】
いくつかの実施形態において、複数の塗りつぶしパターン又はサブパターンのほぼすべての境界のほぼすべての角部を略アール形状にし、塗りつぶしパターン又はサブパターンの境界はオプションで直線部分を含んでもよい。直線部分は、アール角部を介して境界の他の部分に接続されてもよい。直線部分は、アール角部なしに隣接部分へ滑らかに移ってもよい。
【００４８】
複数のタッチ電極は互いに略相補的な境界を有してもよい。タッチ基板は複数の塗りつぶしパターンを含み、塗りつぶしパターンは隣接するタッチ電極の対応部分と略相補的な境界を有してもよい。複数のタッチ電極は複数の行の第１タッチ電極及び複数の列の第２タッチ電極を含み、各第１タッチ電極は隣接する第２タッチ電極の対応部分と略相補的な境界を有してもよい。タッチ基板は複数の行の第１タッチ電極、複数の列の第２タッチ電極、及び複数の塗りつぶしパターンを含み、塗りつぶしパターンは隣接する第１タッチ電極及び第２タッチ電極の対応部分と略相補的な境界を有してもよい。
【００４９】
別の方面において、本開示はタッチ基板の製造方法を提供する。いくつかの実施形態において、この方法は、例えば、基板上に複数のタッチ電極を形成して、すべてのタッチ電極のほぼすべての境界のほぼすべての角部が略アール形状に形成される工程を含む。この方法は、複数の行の第１タッチ電極を形成し、複数の列の第２タッチ電極を形成して、第１タッチ電極及び第２タッチ電極のほぼすべての境界のほぼすべての角部が略アール形状に形成される工程を含んでもよい。この方法は、複数の塗りつぶしパターンを形成して、複数の塗りつぶしパターンのほぼすべての境界のほぼすべての角部を略アール形状とする工程をさらに含んでもよい。複数の塗りつぶしパターンを形成する工程は、少なくとも２つのサブパターンを含むモザイクパターンを形成し、サブパターンのほぼすべての境界のほぼすべての角部を略アール形状に形成する工程を含んでもよい。
【００５０】
いくつかの実施形態において、複数のタッチ電極のほぼすべての境界は連続的に滑らかに曲がるように形成される。複数のタッチ電極を形成する工程は、少なくともひとつのタッチ電極を形成する工程を含み、タッチ電極の境界は、基本的に、アール角部により隣接して接続される複数の連続する滑らかな曲線からなるように形成されてもよい。複数のタッチ電極を形成する工程は、少なくともひとつのタッチ電極を形成する工程を含み、タッチ電極の境界は、基本的に、単一の連続する滑らかな曲線からなるように形成されてもよい。
【００５１】
いくつかの実施形態において、複数の塗りつぶしパターンのほぼすべての境界は連続的に滑らかに曲がるように形成される。複数の塗りつぶしパターンを形成する工程は、少なくともひとつの塗りつぶしパターンを形成する工程を含み、塗りつぶしパターンの境界は、基本的に、アール角部により隣接して接続される複数の連続する滑らかな曲線からなるように形成されてもよい。複数の塗りつぶしパターンを形成する工程は、少なくともひとつの塗りつぶしパターンを形成する工程を含み、塗りつぶしパターンの境界は、基本的に、単一の連続する滑らかな曲線からなるように形成されてもよい。複数の塗りつぶしパターンは、隣接するタッチ電極の対応部分と略相補的な境界を有するように形成されてもよい。
【００５２】
いくつかの実施形態において、複数の塗りつぶしパターンのサブパターンのほぼすべての境界は連続的に滑らかに曲がるように形成される。複数の塗りつぶしパターンを形成する工程は、少なくともひとつのサブパターンを形成する工程を含み、サブパターンの境界は、基本的に、アール角部により隣接して接続される複数の連続する滑らかな曲線からなるように形成されてもよい。複数の塗りつぶしパターンを形成する工程は、少なくともひとつのサブパターンを形成する工程を含み、サブパターンの境界は、基本的に、単一の連続する滑らかな曲線からなるように形成されてもよい。
【００５３】
いくつかの実施形態において、すべてのタッチ電極のほぼすべての境界のほぼすべての角部は略アール形状に形成され、タッチ電極の境界は直線部分を含むように形成される。直線部分は、アール角部を介して境界の他の部分に接続されてもよい。直線部分は、アール角部なしに隣接部分へ滑らかに移ってもよい。
【００５４】
いくつかの実施形態において、複数の塗りつぶしパターンのほぼすべての境界は略アール形状にされ、塗りつぶしパターンの境界は直線部分を含むように形成される。直線部分は、アール角部を介して境界の他の部分に接続されてもよい。直線部分は、アール角部なしに隣接部分へ滑らかに移ってもよい。
【００５５】
いくつかの実施形態において、サブパターンのほぼすべての境界のほぼすべての角部は略アール形状に形成され、サブパターンの境界は直線部分を含むように形成される。直線部分は、アール角部を介して境界の他の部分に接続されてもよい。直線部分は、アール角部なしに隣接部分へ滑らかに移ってもよい。
【００５６】
いくつかの実施形態において、この方法は、複数の行の第１タッチ電極を形成し、複数の列の第２タッチ電極を形成して、第１タッチ電極及び第２タッチ電極のほぼすべての境界のほぼすべての角部を略アール形状に形成する工程を含む。２つの隣接する行の第１タッチ電極は、絶縁交点で列方向に沿って互いに絶縁されるように形成され、２つの隣接する列の第２タッチ電極は、絶縁交点で行方向に沿って互いに絶縁されるように形成され、絶縁交点における２つの隣接する行の第１タッチ電極及び２つの隣接する列の第２タッチ電極の任意の突起は、アール形状に形成されてもよい。各第１タッチ電極は、隣接する第２タッチ電極の対応部分と略相補的な境界を有するように形成されてもよい。
【００５７】
いくつかの実施形態において、複数の第１タッチ電極を形成する工程は、複数の第１タッチ電極を形成する工程を含み、タッチ電極の各々は連続的に滑らかに曲がる境界を有するように形成される。各第１タッチ電極及びそれに隣接する塗りつぶしパターンが連続的に滑らかに曲がる境界を形成するように、複数の第１タッチ電極及び複数の塗りつぶしパターンを形成してもよい。単一の連続する滑らかな曲線を有する境界の例には、略円形の境界、略楕円形の境界及び略小判形の境界が含まれるが、これらに限らない。
【００５８】
いくつかの実施形態において、この方法は、複数のタッチ電極に対応するパターンを有するマスク板を用いることを含む。この方法は、複数のタッチ電極及び複数の塗りつぶしパターンに対応するパターンを有するマスク板を用いる工程を含んでもよい。パターンのほぼすべての境界のほぼすべての角部は略アール形状であってもよい。パターンのほぼすべての境界は連続的に滑らかに曲がってもよい。
【００５９】
別の方面において、本開示は本開示で述べるタッチ基板を製造するためのマスク板を提供する。いくつかの実施形態において、マスク板のパターンは、複数のタッチ電極に対応するパターンを含み、パターンの境界のほぼすべての角部は略アール形状である。パターンのほぼすべての境界は連続的に滑らかに曲がってもよい。
【００６０】
図５は、いくつかの実施形態におけるマスク板の構造を示す模式図である。図５を参照すると、この実施形態におけるマスク板は、複数の第１タッチ電極、複数の第２タッチ電極及び複数の塗りつぶしパターンに対応するパターンを有する。パターンのほぼすべての境界のすべての角部は略アール形状であり、パターンのほぼすべての境界は連続的に滑らかに曲がる。
【００６１】
別の方面において、本開示は、本開示で述べる、又は本開示で述べる方法により製造されるタッチ基板を有するタッチ表示パネルを提供する。本発明のタッチ表示パネルは、従来のタッチ表示パネルに伴う静電破壊及び深刻なむら欠陥の問題を解消する。本発明のタッチ表示パネルは、ブランキング効果に優れ、むら欠陥を最低限に抑えられ、タッチ電極との間で静電破壊が生じにくい。タッチ表示パネルは、自己容量型のタッチ表示パネルであってもよい。タッチ表示パネルは、相互容量型のタッチ表示パネルであってもよい。
【００６２】
タッチ表示パネルはインセル型タッチパネルであってもよい。タッチ表示パネルはオンセル型タッチパネルであってもよい。タッチ表示パネルはアドオン型タッチパネルであってもよい。アドオン型タッチ表示パネルは、ガラス面上に内蔵されたタッチ電極を有してもよい。アドオン型タッチ表示パネルは薄膜上に内蔵されたタッチ電極を有してもよい。アドオン型タッチ表示パネルは、ＯＧＳタッチ表示パネルであってもよい。ＯＧＳタッチパネルにおいて、タッチ電極はカバーガラス上に統合されてもよい。アドオン型タッチ表示パネルは、ガラス・フィルム・フィルム型タッチパネルであってもよい。
【００６３】
別の方面において、本開示は本開示で述べるタッチ表示パネルを有するタッチ表示装置を提供する。タッチ表示装置の例には、電子ペーパー、携帯電話、タブレットコンピュータ、テレビ、ノートパソコン、電子アルバム、ＧＰＳ等が含まれるが、これらに限らない。
【００６４】
本発明の実施形態に関する以上の記載は例示と説明を目的としており、全てを網羅している訳ではなく、また開示された形態そのものに本発明を限定するものでもない。それ故、上記記載は限定ではなく例示を目的としていると見なすべきであり、多くの変更や変形は当業者にとって明らかであろう。本発明の原理とそれが実際に適用される最良の形態を最も説明しやすいような実施形態を選択しそれについて記載することで、特定の用途又は想定される適用に適した本発明の様々な実施形態及び様々な変更を当業者に理解させることを目的としている。本開示に付した請求項及びその均等物により本発明の範囲を定義することが意図され、別途示唆しない限り、すべての用語は合理的な範囲内で最も広く解釈されるべきである。従って、「本発明」、「本開示」又はこれに類する用語は請求項の範囲を必ずしも特定の実施形態に限定せず、本発明の例示的実施形態に対する参照は本発明への限定を示唆するものではなく、かかる限定を推論すべきではない。本発明は付属する請求項の構想と範囲のみにより限定される。さらに、これらの請求項では後に名詞又は要素を伴って「第１」「第２」等という表現を用いる場合がある。特定の数量が示されない限り、このような用語は専用語であると理解すべきであり、修飾された要素の数量が上記専用語により限定されると解釈してはならない。記載した効果や利点はいずれも本発明のすべての実施形態に適用されるとは限らない。当業者であれば、以下の請求項により定義される本発明の範囲から逸脱せずに、記載した実施形態を変形できることが理解されよう。さらに、以下の請求項に明記されているか否かを問わず、本開示の要素及び部品のいずれも公衆に捧げる意図はない。
【符号の説明】
【００６５】
１  タッチ電極
２  タッチ電極
３  塗りつぶしパターン
３’  サブパターン
４  ブリッジ
５  ブリッジ
【図１Ａ】
2019525268.tif 000003
【図１Ｂ】
2019525268.tif 000004
【図１Ｃ】
2019525268.tif 000005
【図２Ａ】
2019525268.tif 000006
【図２Ｂ】
2019525268.tif 000007
【図２Ｃ】
2019525268.tif 000008
【図２Ｄ】
2019525268.tif 000009
【図３Ａ】
2019525268.tif 000010
【図３Ｂ】
2019525268.tif 000011
【図４Ａ】
2019525268.tif 000012
【図４Ｂ】
2019525268.tif 000013
【図４Ｃ】
2019525268.tif 000014
【図４Ｄ】
2019525268.tif 000015
【図５】
2019525268.tif 000016
【国際調査報告】
2019525268.tif 000017
2019525268.tif 000018